【手続補正書】
【提出日】平成17年6月2日(2005.6.2)
【手続補正１】
【補正対象書類名】特許請求の範囲
【補正対象項目名】全文
【補正方法】変更
【補正の内容】
【特許請求の範囲】
【請求項１】
人間の眼の中に受け入れられる大きさ及び形状の光学体（１１２）であって、前部光学中心（１１４ａ）を持つ前壁（１１４）、後部光学中心（１１６ａ）を持つ後壁（１１６）、前壁と後壁の間の房室（１１８）、及び前部光学中心で前壁と交差し後部光学中心で後壁と交差する光軸（１２０）を有する光学体、
第一密度及び第一屈折率を持つ光学的に透過性のある第一流体（１２４）であって、遠くを見るため光軸を水平方向に合わせるとき、第一流体（１２４）を通過するように光軸を位置させ、前部光学中心及び後部光学中心を第一流体（１２４）に浸漬するように十分な量だけ光学体の房室に含まれる第一流体、並びに
前記第一密度及び第一屈折率とは異なる第二密度及び第二屈折率を持ち、前記第一流体とは実質的に混合不可である光学的に透過性のある第二流体（１２２）であって、近くを見るため光軸を水平方向に対し下向きの有効角（φ）の範囲に合わせるとき、光軸を第一流体及び第二流体を通過し伸長するように位置させるに十分な量だけ光学体の房室に含まれる第二流体、を含み、
前記下向きの有効角（φ）の範囲は、水平方向に対し少なくとも９０°の角度を含み、下向きの有効角において、光軸（１２０）は、第一流体、第二流体、及び第一流体と第二流体が互いに接触する流体界面（１２３）を通り延びることを特徴とする人間の眼のための眼内レンズ（１１０）。
【請求項２】
前記第一流体（１２４）及び第二流体（１２２）はそれぞれ第一液体及び第二液体から成る請求項１の眼内レンズ。
【請求項３】
近くを見るため光軸（１２０）を水平方向に対し下向きの有効角（φ）の範囲に合わせるとき、前記有効角の全範囲において光軸は流体界面（１２３）を通り伸長する請求項２の眼内レンズ。
【請求項４】
前記房室（１１８）は前壁と後壁の間に囲まれて成る請求項１の眼内レンズ。
【請求項５】
前記房室は前壁と後壁で構成される構造物により囲まれて成る請求項１の眼内レンズ。
【請求項６】
前記第一密度は第二密度よりも高く、光軸を下向きの有効角の範囲に合わせるとき、第一流体（１２４）が前壁（１１４）の方へ移動され且つ光軸（１２０）が前部光学中心（１１４ａ）で第一流体（１２４）を通過し後部光学中心（１１６ａ）で第二流体（１２２）を通過するように位置される請求項１の眼内レンズ。
【請求項７】
前記第一流体（１２４）及び第二流体（１２２）はそれぞれ第一液体及び第二液体から成る請求項６の眼内レンズ。
【請求項８】
前記第二密度は第一密度よりも高く、光軸を下向きの有効角の範囲に合わせるとき、第二流体が前壁の方へ移動され且つ光軸が前部光学中心で第二流体を通過し後部光学中心で第一流体を通過するように位置される請求項１の眼内レンズ。
【請求項９】
前記第一流体及び第二流体はそれぞれ第一液体及び第二液体から成る請求項８の眼内レンズ。
【請求項１０】
人間の眼のための眼内レンズ（１１０）であって、
前記人間の眼は、角膜（１５２）、角膜の後部にあり瞳孔を有する虹彩（１５４）、及び虹彩の後部にある網膜（１７０）を含み、角膜を通して人間の眼に入り瞳孔を通過して網膜に到る光路に沿って入射光を通過させ、前記眼内レンズ（１１０）は人間の眼の中に受け入れられる光学体（１１２）を含み、該光学体は、光学的に透過性のある下部液体（１２４）、及び該下部流体とは実質的に混合不可である光学的に透過性のある上部流体（１２２）を含み、
前記光学体は、前部光学中心（１１４ａ）を持つ前壁（１１４）、後部光学中心（１１６ａ）を持つ後壁（１１６）、前壁と後壁の間の房室（１１８）、及び前部光学中心で前壁と交差し後部光学中心で後壁と交差する光軸（１２０）を有し、前記光軸は、人間の眼の中に置かれる光学体を通して位置され、前部表面領域を有する光学的に透過性のある前部可視ゾーン（１１４ｂ）で前壁と光路を交差させ、後部表面領域を有する光学的に透過性のある後部可視ゾーン（１１６ｂ）で後壁と光路を交差させ、
前記下部液体（１２４）は、第一密度及び第一屈折率を持ち、十分な量が光学体の房室（１１８）内に含まれ、遠くを見るため光軸を水平方向に合わせるとき、光軸を下部液体（１２４）を通過させるように位置させ、且つ前部可視ゾーン（１１４b）の前部表面領域の大半及び後部可視ゾーン（１１６b）の後部表面領域の大半が下部液体に浸され、
前記上部流体（１２２）は、前記第一密度より小さい第二密度及び下部流体の第一屈折率とは異なる第二屈折率を有し、十分な量が光学体の房室内の前記下部液体の上に含まれ、近くを見るため光軸を水平方向に対し下向きの有効角（φ）の範囲に合わせるとき、前記下部液体が前壁へ向かって移行され、前記光軸（１２０）が前部光学中心（１１４ａ）で下部液体（１２４）を通過し、後部光学中心（１１６ａ）で上部流体（１２２）を通過するように位置され、前部可視ゾーンの前部表面領域の大半が下部液体に浸され、後部可視ゾーンの後部表面領域の大半が上部流体に浸され、
前記下向きの有効角（φ）の範囲は、水平方向に対し少なくとも９０°の角度を含み、前記下向きの有効角において、光軸（１２０）は、下部液体、上部流体、及び下部液体と上部流体が互いに接触する流体界面（１２３）を通り延びることを特徴とする人間の眼のための眼内レンズ。
【請求項１１】
前記房室（１１８）は前壁と後壁の間に囲まれて成る請求項１０の眼内レンズ。
【請求項１２】
前記房室（１１８）は前壁と後壁で構成される構造物により囲まれて成る請求項１０の眼内レンズ。
【請求項１３】
前記上部流体（１２２）は上部液体からなり、該上部液体の第二屈折率は下部液体の第一屈折率より大きい請求項１０の眼内レンズ。
【請求項１４】
近くを見るため光軸を水平方向に対し下向きの有効角の範囲に合わせるとき、前記有効角の全範囲において光軸（１２０）は流体界面（１２３）を通り伸長する請求項１３の眼内レンズ。
【請求項１５】
前記上部流体は上部液体からなり、該上部液体の第２屈折率は下部液体の第一屈折率よりも小さい請求項１０の眼内レンズ。
【請求項１６】
近くを見るため光軸を水平方向に対し下向きの有効角の範囲に合わせるとき、前記有効角の全範囲において光軸（１２０）は流体界面（１２３）を通り伸長する請求項１５の眼内レンズ。
【請求項１７】
前記光軸（１２０）を水平方向に合わせることが、前部可視ゾーンの前部表面領域の少なくとも７０％及び後部可視ゾーンの後部表面領域の少なくとも７０％が下部液体（１２４）に浸るように光軸をして下方液体に十分通すように位置させる請求項１０の眼内レンズ。
【請求項１８】
前記光軸（１２０）を水平方向に合わせることが、前部可視ゾーンの前部表面領域の全体及び後部可視ゾーンの後部表面領域の全体が下部液体（１２４）に浸るように光軸をして下方液体に十分通すように位置させる請求項１０の眼内レンズ。
【請求項１９】
前記上部流体（１２２）は、光学体の房室（１１８）内に十分な量含まれ、前記光軸が水平方向に対して少なくとも７０°乃至９０°の近くを見る範囲のあらゆる角度において下部液体及び上部流体並びに流体界面（１２３）を通り伸長する請求項１０の眼内レンズ。
【請求項２０】
前記上部流体（１２２）は、光学体の房室（１１８）内に十分な量含まれ、前記光軸が水平方向に対して少なくとも４５°乃至９０°の範囲のあらゆる角度において下部液体及び上部流体並びに流体界面（１２３）を通り伸長する請求項１０の眼内レンズ。
【請求項２１】
前記上部流体（１２２）は、光学体の房室（１１８）内に十分な量含まれ、前記光軸が水平方向に対して少なくとも３０°乃至９０°の範囲のあらゆる角度において下部液体及び上部流体並びに流体界面（１２３）を通り伸長する請求項１０の眼内レンズ。
【請求項２２】
前記上部流体及び下部液体は、光学体の房室（１１８）内に十分な量含まれ、前記光軸を水平方向に対して７０°乃至９０°の範囲のあらゆる角度に配置することが、前部可視ゾーンの前部表面領域の少なくとも７０％を下部液体に浸し、後部可視ゾーンの後部表面領域の少なくとも７０％を上部流体に浸す請求項１０の眼内レンズ。
【請求項２３】
前記上部流体及び下部液体は、光学体の房室（１１８）内に十分な量含まれ、前記光軸を水平方向に対して７０°乃至９０°の範囲のあらゆる角度に配置することが、前部可視ゾーンの前部表面領域の全部を下部液体に浸し、後部可視ゾーンの後部表面領域の全部を上部流体に浸す請求項１０の眼内レンズ。
【請求項２４】
前記光学体は弾力性に富み変形可能である請求項１０の眼内レンズ。
【請求項２５】
更に触覚を含む請求項１０の眼内レンズ。
【請求項２６】
前記光学体は前部光学中心（１１４ａ）と一致する前部頂点及び後部光学中心（１１６ａ）と一致する後部頂点を有する請求項１０の眼内レンズ。
【請求項２７】
人間の眼のための眼内レンズ（２１０）であって、
前記人間の眼は、角膜（１５２）、角膜の後部にあり瞳孔を有する虹彩（１５４）、及び虹彩の後部にある網膜（１７０）を含み、角膜を通して人間の眼に入り瞳孔を通過して網膜に到る光路に沿って入射光を通過させ、前記眼内レンズ（２１０）は、人間の眼の中に受け入れられる光学体（２１２）、光学的に透過性のある上部流体（２２２）、及び該上部流体とは実質的に混合不可である光学的に透過性のある下部液体（２２４）を含み、
前記光学体（２１２）は、前部光学中心（２１４ａ）を持つ前壁（２１４）、後部光学中心（２１６ａ）を持つ後壁（２１６）、前壁と後壁の間の房室（２１８）、及び前部光学中心で前壁と交差し後部光学中心で後壁と交差する光軸（２２０）を有し、前記光軸は、人間の眼の中に置かれる光学体を通して位置され、前部表面領域を有する光学的に透過性のある前部可視ゾーン（２１４ｂ）で前壁と、後部表面領域を有する光学的に透過性のある後部可視ゾーン（２１６ｂ）で後壁と光路を交差させ、
前記上部流体（２２２）は、第一密度及び第一屈折率を持ち、十分な量が光学体の房室内に含まれ、遠くを見るため光軸を水平方向に合わせるとき、光軸が上部流体（２２２）を通過させるように位置され、且つ前部可視ゾーン（２１４b）の前部表面領域の大半及び後部可視ゾーン（２１６b）の後部表面領域の大半が上部流体に浸され、
前記下部液体（２２４）は、前記第一密度より大きい第二密度及び上部流体の第一屈折率とは異なる第二屈折率を有し、十分な量が光学体の房室内の前記上部流体の下に含まれ、近くを見るため光軸を水平方向に対し下向きの有効角（φ）の範囲に合わせるとき、前記下部液体が前壁へ向かって移行され、前記光軸（２２０）が前部光学中心（２１４ａ）で下部液体（２２４）を通過し、後部光学中心（２１６ａ）で上部流体（２２２）を通過するように位置され、前部可視ゾーン（２１４b）の前部表面領域の大半が下部液体に浸され、後部可視ゾーン（２１６b）の後部表面領域の大半が上部流体に浸され、
前記下向きの有効角（φ）の範囲は、水平方向に対し少なくとも９０°の角度を含み、前記下向きの有効角において、光軸（２２０）は、上部流体、下部液体、及び上部流体と下部液体とが互いに接触する流体界面（２２３）を通り延びることを特徴とする人間の眼のための眼内レンズ。
【請求項２８】
前記房室（２１８）は前壁と後壁の間に囲まれて成る請求項２７の眼内レンズ。
【請求項２９】
前記房室（２１８）は前壁と後壁で構成される構造物により囲まれて成る請求項２７の眼内レンズ。
【請求項３０】
前記上部流体は少なくとも１つの上部液体からなり、上部流体の第一屈折率は下部液体の第二屈折率より小さい請求項２７の眼内レンズ。
【請求項３１】
近くを見るため光軸を水平方向に対し下向きの有効角の範囲に合わせるとき、前記有効角の全範囲において光軸（２２０）は流体界面（２２３）を通り伸長する請求項３０の眼内レンズ。
【請求項３２】
前記上部流体（２２２）は少なくとも１つの上部液体からなり、上部流体の第一屈折率は下部液体の第二屈折率よりも大きい請求項２７の眼内レンズ。
【請求項３３】
近くを見るため光軸を水平方向に対し下向きの有効角の範囲に合わせるとき、前記有効角の全範囲において光軸（２２０）は流体界面（２２３）を通り伸長する請求項３２の眼内レンズ。
【請求項３４】
前記光軸（２２０）を水平方向に合わせることが、前部可視ゾーンの前部表面領域の少なくとも７０％及び後部可視ゾーンの後部表面領域の少なくとも７０％が上部流体（２２２）に浸るように光軸をして上方流体に十分通すように位置させる請求項２７の眼内レンズ。
【請求項３５】
前記光軸（２２０）を水平方向に合わせることが、前部可視ゾーンの前部表面領域の全体及び後部可視ゾーンの後部表面領域の全体が上部流体（２２２）に浸るように光軸をして上部流体に十分通すように位置させる請求項２７の眼内レンズ。
【請求項３６】
前記下部液体（２２４）は、光学体の房室（２１８）内に十分な量含まれ、前記光軸が水平方向に対して少なくとも７０°乃至９０°の範囲のあらゆる角度において下部液体及び上部流体並びに流体界面（２２３）を通り伸長する請求項２７の眼内レンズ。
【請求項３７】
前記下部液体（２２４）は、光学体の房室（２１８）内に十分な量含まれ、前記光軸が水平方向に対して少なくとも４５°乃至９０°の範囲のあらゆる角度において下部液体及び上部流体並びに流体界面（２２３）を通り伸長する請求項２７の眼内レンズ。
【請求項３８】
前記下部液体（２２４）は、光学体の房室（２１８）内に十分な量含まれ、前記光軸が水平方向に対して少なくとも３０°乃至９０°の範囲のあらゆる角度において下部液体及び上部流体並びに流体界面（２２３）を通り伸長する請求項２７の眼内レンズ。
【請求項３９】
前記上部流体及び下部液体は、光学体の房室（２１８）内に十分な量含まれ、前記光軸を水平方向に対して７０°乃至９０°の範囲の下向きの有効角のあらゆる角度に配置することが、前部可視ゾーンの前部表面領域の少なくとも７０％を下部液体に浸し、後部可視ゾーンの後部表面領域の少なくとも７０％を上部流体に浸す請求項２７の眼内レンズ。
【請求項４０】
前記上部流体及び下部液体は、光学体の房室（２１８）内に十分な量含まれ、前記光軸を水平方向に対して７０°乃至９０°の範囲の下向きの有効角のあらゆる角度に配置することが、前部可視ゾーンの前部表面領域の全部を下部液体に浸し、後部可視ゾーンの後部表面領域の全部を上部流体に浸す請求項２７の眼内レンズ。
【請求項４１】
前記光学体は弾力性に富み変形可能である請求項２７の眼内レンズ。
【請求項４２】
更に触覚を含む請求項２７の眼内レンズ。
【請求項４３】
前記光学体は前部光学中心（２１４ａ）と一致する前部頂点及び後部光学中心（２１６ａ）と一致する後部頂点を有する請求項２７の眼内レンズ。
【請求項４４】
人間の眼又は使用者に移植された眼内レンズ（１１０）を介し焦点を変更する方法であって、
眼内レンズは人間の眼の中に置かれる光学体（１１２）を含み、光学体は、前壁、後壁、前壁と後壁の間の房室（１１８）、房室に含まれる光学的に透過性のある第一流体（１２４）及び第二流体（１２２）を含み、第一流体は第二流体とは異なる密度及び屈折率を有し、
前記方法は、遠方を見るため真っ直ぐ前方を見るように人間の眼を方位決めし、視軸を第一流体（１２４）に通すが第二流体（１２２）を通過させず、遠くの１点に焦点を合わせる工程、及び人間の眼を下方を見るように水平方向に対し下向きの有効角の範囲で運動させ、遠隔点よりも人間の眼に近い近点に焦点を合わせる工程、を含み、
前記下向きの有効角の範囲は水平方向に対し少なくとも９０°の角度を含み、前記下向きの有効角の範囲において前記光軸（１２０）は第一流体及び第二流体並びに第一流体と第二流体が互いに接触する流体界面（１２３）を通り延びることを特徴とする方法。
【請求項４５】
前記第一流体（１２４）は第二流体（１２２）よりも高い密度を持つ請求項４４の方法。
【請求項４６】
前記第二流体（１２２）は第一流体よりも高い密度を持つ請求項４４の方法。
【請求項４７】
前記第一流体（１２４）及び第二流体（１２２）はそれぞれ第一液体及び第二液体から成る請求項４４の方法。
【請求項４８】
人間の眼のための眼内レンズを製作する方法であって、
人間の眼の中に受け入れられる大きさ及び形状を有し、前部光学中心（１１４ａ）を持つ前壁（１１４）、後部光学中心（１１６ａ）を持つ後壁（１１６）、前壁と後壁の間の房室（１１８）、前記房室に連通する注入口、前記前壁と前部光学中心（１１４ａ）で交叉し前記後壁と後部光学中心（１１６ａ）で交叉する光軸（１２０）を有する光学体（１１２）を形成する工程、
光学的に透過性のある第一流体（１２４）を光学体の房室に導入する工程、並びに
光学的に透過性があり前記第一流体とは実質的に混合付加である第二流体（１２２）を光学体の房室に導入する工程、を含み、
前記第一流体（１２４）は、第一密度及び第一屈折率を有し、遠くを見るため光軸を水平方向に合わせるとき、光軸を第一流体（１２４）を通過させるように位置させ、前部光学中心及び後部光学中心を第一流体（１２４）に浸漬するように十分な量だけ光学体の房室に含まれ、
前記第二流体（１２２）は、前記第一密度及び第一屈折率とは異なる第二密度及び第二屈折率を持ち、近くを見るため光軸を水平方向に対し下向きの有効角（φ）の範囲に合わせるとき、光軸を第一流体及び第二流体を通過し伸長するように位置させるに十分な量だけ光学体の房室に含まれ、
前記下向きの有効角（φ）の範囲は、水平方向に対し少なくとも９０°の角度を含み、下向きの有効角において、光軸（１２０）は、第一流体、第二流体、及び第一流体と第二流体が互いに接触する流体界面（１２３）を通り延びることを特徴とする方法。
【請求項４９】
更に光学体に通気孔を具備する工程、及び第一流体及び第二流体を導入した後に注入口及び通気孔を閉じ房室を閉じ込める工程を含む請求項４８の方法。
【請求項５０】
前記第一流体（１２４）及び第二流体（１２２）はそれぞれ第一液体及び第二液体から成る請求項４８の方法。
【請求項５１】
近くを見る場合の水平方向に対する下向きの有効角の範囲における光軸（１２０）は、流体界面（１２３）を通り伸長する請求項５０の方法。
【請求項５２】
請求項５０の方法であって、前記第一密度は第二密度より大きく、光軸を有効角（φ）の範囲に合わせるとき、前記第一液体が前壁へ向かって移行され、前記光軸（１２０）が前部光学中心（１１４ａ）で第一液体（１２４）を通過し、後部光学中心（１１６ａ）で第二流体（１２２）を通過するように位置され、前記第一液体の導入を前記第二液体の導入の前に行うことを特徴とする方法。
【請求項５３】
請求項５０の方法であって、前記第二密度は第一密度より大きく、光軸を有効角（φ）の範囲に合わせるとき、前記第二液体が前壁へ向かって移行され、前記光軸が前部光学中心で第二液体を通過し、後部光学中心で第一流体を通過するように位置され、前記第二液体の導入を前記第一液体の導入の前に行うことを特徴とする方法。
【請求項５４】
請求項４８の方法であって、前記光学体の房室が第一流体及び第二流体を導入する前にガスを収容しており、前記方法は、更に、前記光学体に前記房室と連通する通気孔を形成する工程、第一流体及び第二流体を導入する間に前記通気孔を介しガスを排出する工程、及び第一流体及び第二流体を導入した後に前記通気孔を密封する工程、を含む方法。
【手続補正２】
【補正対象書類名】図面
【補正対象項目名】全図
【補正方法】変更
【補正の内容】
【図１】
2004532697.tif 000001
【図２】
2004532697.tif 000002
【図３】
2004532697.tif 000003
【図４】
2004532697.tif 000004
【図５】
2004532697.tif 000005
【図６】
2004532697.tif 000006
【図７】
2004532697.tif 000007
【図８】
2004532697.tif 000008
【図９】
2004532697.tif 000009
【図１０】
2004532697.tif 000010
【図１１】
2004532697.tif 000011
【図１２】
2004532697.tif 000012
【図１３】
2004532697.tif 000013
【図１４】
2004532697.tif 000014
【図１５】
2004532697.tif 000015
【図１６】
2004532697.tif 000016
【図１７】
2004532697.tif 000017
【図１８】
2004532697.tif 000018
【図１９】
2004532697.tif 000019
【図２０】
2004532697.tif 000020
【図２１】
2004532697.tif 000021
【図２２】
2004532697.tif 000022
【図２３】
2004532697.tif 000023
【図２４】
2004532697.tif 000024
【図２５】
2004532697.tif 000025
【図２６】
2004532697.tif 000026
【図２７】
2004532697.tif 000027
【図２８】
2004532697.tif 000028
【図２９】
2004532697.tif 000029
【図３０】
2004532697.tif 000030